(57)【要約】【課題】本発明は単管等のパイプ材等を整理整頓状態で支持することができるとともに、この支持された状態で輸送や、現場で使用することができるパイプ材等の支持具を得るにある。【解決手段】バー状の支持台と、この支持台の両端部に一体あるいは固定的に取付けられた内側面が順次拡開するほぼ６０゜の傾斜面に形成された両側支持片と、この両側支持片間の上部位置まで挿入支持されたパイプ材等を押し圧固定できるように、該両側支持片の上部間に取付けられた締付け固定具とでパイプ材等の支持具を構成している。【選択図】  図１
2004218364.tif 000002
【特許請求の範囲】
【請求項１】
バー状の支持台と、この支持台の両端部に一体あるいは固定的に取付けられた内側面が順次拡開するほぼ６０゜の傾斜面に形成された両側支持片と、この両側支持片間の上部位置まで挿入支持されたパイプ材等を押し圧固定できるように、該両側支持片の上部間に取付けられた締付け固定具とからなることを特徴とするパイプ材等の支持具。
【請求項２】
バー状の支持台と、この支持台の両端部に一体あるいは固定的に取付けられた内側面が順次拡開するほぼ６０゜の傾斜面に形成された両側支持片と、この両側支持片の上部位置に開閉可能に取付けられた六角形状のほぼ４分の１の輪郭形状の上部両側支持片と、この上部両側支持片の遊端部を締付け固定する締付け固定具とからなることを特徴とするパイプ材等の支持具。
【請求項３】
バー状の支持台と、この支持台の両端部に一体あるいは固定的に取付けられた内側面が順次拡開するほぼ６０゜の傾斜面に形成された両側支持片とからなることを特徴とするパイプ材等の支持具。
【請求項４】
両側支持片あるいは上部両側支持片には吊り具取付け金具が取付けられていることを特徴とする請求項１、２いずれかに記載のパイプ材等の支持具。
【請求項５】
バー状の支持台は支持するパイプ材等の直径寸法に応じて伸縮調整できるように構成されていることを特徴とする請求項１、２、３、４いずれかに記載のパイプ材等の支持具。
【発明の詳細な説明】
【０００１】
【発明の属する技術分野】
本発明は建設現場で足場を組む場合に使用される、単管と称されるパイプ材やその他のパイプ材等の支持具に関する。
【０００２】
【従来の技術】
従来、建設現場で足場を組む場合に使用される単管は、ほぼＨ字状の支持棚に収納保管されている。
【０００３】
【発明が解決しようとする課題】
従来の支持棚への収納保管では単管を１本１本取り出したり、収納する作業を行なわなければならず、作業効率が悪いという欠点があるとともに、支持棚より取り出した単管も他の支持棚に支持させなければバラバラとなり、場所をとったり、見苦しくなるという欠点があった。
【０００４】
本発明は以上のような従来の欠点に鑑み、単管等のパイプ材等を整理整頓状態で支持することができるとともに、この支持された状態で輸送や、現場で使用することができるパイプ材等の支持具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はバー状の支持台と、この支持台の両端部に一体あるいは固定的に取付けられた内側面が順次拡開するほぼ６０゜の傾斜面に形成された両側支持片と、この両側支持片間の上部位置まで挿入支持されたパイプ材等を押し圧固定できるように、該両側支持片の上部間に取付けられた締付け固定具とでパイプ材等の支持具を構成している。
【０００７】
【発明の実施の形態】
以下、図面に示す実施の形態により、本発明を詳細に説明する。
【０００８】
図１ないし図９に示す本発明の第１の実施の形態において、１は建設現場で足場を組む場合に使用される、単管と称されるパイプ材２を整理整頓状態で支持することができる本発明のパイプ材等の支持具で、このパイプ材等の支持具１はチャンネル状の鋼材を用いて開口部が下部に位置するバー状の支持台３と、この支持台３に７本のパイプ材２を並列できるように両端部に溶接あるいは複数本のビス４によって固定された内側面が順次拡開するほぼ６０゜の傾斜面に形成された５段まで積層できる両側支持片５、５と、この両側支持片５、５の上部と一体形成された６段、７段に積層された、該７段の両側部のパイプ材２、２を支持できる接続片６、６に枢支ピン７、７によって回動可能に取付けられた六角形状の４分の１の輪郭形状の８段、９段、１０段、１１段に積層されたパイプ材２の両側および、最上部の上部を支持する上部両側支持片８、８と、この上部両側支持片８、８の遊端部を締付け固定する締付け固定具９と、前記上部両側支持片８、８の一方に一端部が取付けられ、他端部が他方に固定されたリング部材１０に着脱可能に取付けられるフック１１が設けられた吊り下げワイヤーを用いた吊り具１２とで構成されている。
【０００９】
前記上部両側支持片８、８は図７に示すように、内壁面に７段、８段、９段、１０段、１１段の両端部および１１段の上部を支持する支持凹部１３が形成されている。
【００１０】
上記構成のパイプ材等の支持具１を使用する場合には、所定間隔離間させて２個のパイプ材等の支持具１、１を地面や床面上に配置し、上部両側支持片８、８、８、８を開放状態にする。
この状態で支持台３、３上にパイプ材２が支持されるように投入することにより、１段に７本、２段に８本、３段に９本、４段に１０本、５段に１１本、６段に１０本、７段に１１本、８段に１０本、９段に９本、１０段に８本、１１段に７本、全体で１００本が整列された状態で積み重ねることができる。
このように１００本のパイプ材２が積層状態で積み重ねられると、上部両側支持片８、８、８、８を回動させ、締付け固定具９、９で締付け固定することにより、１００本のパイプ材２がパイプ材等の支持具１、１に固定状態で取付けられた状態となる。
しかる後、図９に示すように吊り下げワイヤーを用いた吊り具１２、１２のフック１１、１１をリング部材１０、１０に取付け、吊り下げワイヤーを用いた吊り具１２、１２にクレーン１４等のフック１５を係止させさることにより吊り上げ、トラックに積み込んだり、トラックより下ろすことができる
また、作業する現場では締付け固定具９、９の締付け固定を解除し、上部両側支持片８、８、８、８を開放しておくことにより、整理整頓された状態で使用することができる。
なお、本発明の実施の形態において、パイプ材等の支持具１の上面を平坦に形成したものに付いて図示したが、本発明はこれに限らず、パイプ材等の支持具１の上面にパイプ材２を並列状態に整列できる前記支持凹部１３とほぼ同形状の凹部を形成しても良い。
【００１１】
【発明の異なる実施の形態】
次に、図１０ないし図２１に示す本発明の異なる実施の形態につき説明する。なお、これれらの本発明の異なる実施の形態の説明に当って、前記本発明の第１の実施の形態と同一構成部分には同一符号を付して重複する説明を省略する。
【００１２】
図１０ないし図１２に示す本発明の第２の実施の形態において、前記本発明の第１の実施の形態と主に異なる点は、内側面を平坦面に形成するとともに、該部位にクッションゴム１６、１６を固定した上部両側支持片８Ａ、８Ａを用いた点で、このように形成された上部両側支持片８Ａ、８Ａを用いて構成したパイプ材等の支持具１Ａにしても、前記本発明の第１の実施の形態と同様な作用効果が得られる。
【００１３】
図１３ないし図１５に示す本発明の第３の実施の形態において、前記本発明の第１の実施の形態と主に異なる点は、支持するパイプ材２の直径寸法に応じて最適な長さ寸法となるように伸縮調整することができる支持台３Ａを用いた点で、このように形成された支持台３Ａを用いて構成したパイプ材等の支持具１Ｂにしても、前記本発明の第１の実施の形態と同様な作用効果が得られる。
なお、前記支持台３Ａは一方の支持台３ａに形成されたガイド筒１７と、このガイド筒１７内に挿入される挿入片１８が固定された他方の支持台３ｂと、この他方の支持台３ｂの挿入片１８を任意の位置で固定することができる前記ガイド筒１７内に挿入するように螺合された締付けボルト１９とで構成されている。
【００１４】
図１６ないし図１８に示す本発明の第４の実施の形態において、前記本発明の第１の実施の形態と主に異なる点は、上部両側支持片を使用することなく、両側支持片５、５間の上部位置まで挿入支持されたパイプ材２を押し圧固定できるように、該両側支持片５、５の上部間に取付けられた締付け固定具９Ａを用いた点で、このように構成したパイプ材等の支持具１Ｃにしても、前記本発明の第１の実施の形態と同様な作用効果が得られる。
なお、前記締付け固定具９Ａは一端部が一側支持片５に取付けられ、他端部が他側支持片５に固定された係止片２０に着脱可能に係止されるフック２１が取付けられた手動ウインチ２２が使用されている。
【００１５】
図１９ないし図２１に示す本発明の第５の実施の形態において、前記本発明の第１の実施の形態と主に異なる点は、上面がほぼ下面の幅寸法と同じ寸法となるようにＬ字状の補強部２３、２３を形成するとともに、上面が積み重ねが可能な平坦面に形成された上部両側支持片８Ｂ、８Ｂを用いた点で、このように形成された上部両側支持片８Ｂ、８Ｂを用いて構成したパイプ材等の支持具１Ｄにしても、前記本発明の第１の実施の形態と同様な作用効果が得られるとともに、積み重ね状態で収納保管することができる。
なお、本発明の実施の形態では締付け固定具９、９Ａや吊り上げワイヤーを用いた吊り具１２等が上部両側支持片８、８、８Ａ、８Ａ、８Ｂ、８Ｂの上部へ突出しない取付け部位や形状、構成のものを使用する。
【００１６】
なお、前記本発明の各実施の形態で使用する締付け固定具９、９Ａや吊り具１２は、図示した構造以外で支持されたパイプ材２を締付け固定できる構成であればどんな構成のものを用いてもよい。
また、吊り具１２もクレーン等で吊り上げられるものであればどんな構成のものであってもよい。
さらに、足場で使用するパイプ材２を収納保管するものについて説明したが、これ以外のパイプ材や丸棒等も同様に使用できる。
前記本発明の各実施の形態では締付け固定具９、９Ａを取り付けたものに付いて説明したが、本発明はこれに限らず、バー状の支持台３と、この支持台３の両端部に一体あるいは固定的に取付けられた内側面が順次拡開するほぼ６０゜の傾斜面に形成された両側支持片５、５とからなるパイプ材等の支持具にして、パイプ材等を支持する場合だけに使用できるようにし、支持されたパイプ材等の輸送時には該パイプ材等の支持具に支持されたパイプ材等を結束バンド等で結束して輸送する。
【００１７】
【発明の効果】
以上の説明から明らかなように、本発明にあっては次に列挙する効果が得られる。
【００１８】
（１）バー状の支持台と、この支持台の両端部に一体あるいは固定的に取付けられた内側面が順次拡開するほぼ６０゜の傾斜面に形成された両側支持片と、この両側支持片間の上部位置まで挿入支持されたパイプ材等を押し圧固定できるように、該両側支持片の上部間に取付けられた締付け固定具とで構成されているので、所定間隔離間させて２個配置することにより、支持台と両側支持片との間にパイプ材等を挿入することにより、自動的にパイプ材等が整列状態で積み重ねることができる。
したがって、整列状態での収納保管が容易にできる。
【００１９】
（２）前記（１）によって、締付け固定具で締付け固定することにより、パイプ材等の支持具と、収納保管されたパイプ材等とを一体状態で輸送することができる。
したがって、輸送作業が容易にできるとともに、輸送された使用現場でも整列状態でのパイプ材等の出し入れを行なうことができる。
【００２０】
（３）前記（１）によって、構造が簡単で比較的簡単に製造することができる。したがって、安価に製造でき、気軽に資材リース会社等で導入することができる。
【００２１】
（４）前記（１）によって、パイプ材の収納保管場所あるいは使用現場で整列状態で保管できるので、従来に比べ、パイプ材の損傷や汚れを効率よく防止することができ、長期間使用することができる。
【００２２】
（５）請求項２、３、４、５も前記（１）〜（４）と同様な効果が得られる。
【図面の簡単な説明】
【図１】本発明の第１の実施の形態の使用状態の正面図。
【図２】本発明の第１の実施の形態の使用状態の平面図。
【図３】本発明の第１の実施の形態の使用状態の側面図。
【図４】本発明の第１の実施の形態の側面図。
【図５】本発明の第１の実施の形態の平面図。
【図６】本発明の第１の実施の形態の正面図。
【図７】本発明の第１の実施の形態の上部両側支持片を開放した状態の説明図。
【図８】本発明の第１の実施の形態の締付け固定具の説明図。
【図９】本発明の第１の実施の形態のクレーンで吊り上げた状態の説明図。
【図１０】本発明の第２の実施の形態の使用状態の正面図。
【図１１】本発明の第２の実施の形態の使用状態の側面図。
【図１２】本発明の第２の実施の形態の側面図。
【図１３】本発明の第３の実施の形態の使用状態の正面図。
【図１４】本発明の第３の実施の形態の側面図。
【図１５】本発明の第３の実施の形態の支持台の動作説明図。
【図１６】本発明の第４の実施の形態の使用状態の正面図。
【図１７】本発明の第４の実施の形態の使用状態の側面図。
【図１８】本発明の第４の実施の形態の側面図。
【図１９】本発明の第５の実施の形態の使用状態の正面図。
【図２０】本発明の第５の実施の形態の使用状態の側面図。
【図２１】本発明の第５の実施の形態の平面図。
【符号の説明】
１、１Ａ、１Ｂ、１Ｃ、１Ｄ：パイプ材等の支持具、
２：パイプ材、          ３、３Ａ：支持台、
４：ビス、              ５：側支持片、
６：接続片、            ７：枢支ピン、
８、８Ａ、８Ｂ：上部側支持片、
９、９Ａ：締付け固定具、１０：リング部材、
１１：フック、          １２：吊り具、
１３：凹部、            １４：クレーン、
１５：フック、          １６：クッションゴム、
１７：ガイド筒、        １８：挿入片、
１９：締付けボルト、    ２０：係止片、
２１：フック、          ２２：手動ウインチ、
２３：補強部。
【図１】
2004218364.tif 000003
【図２】
2004218364.tif 000004
【図３】
2004218364.tif 000005
【図４】
2004218364.tif 000006
【図５】
2004218364.tif 000007
【図６】
2004218364.tif 000008
【図７】
2004218364.tif 000009
【図８】
2004218364.tif 000010
【図９】
2004218364.tif 000011
【図１０】
2004218364.tif 000012
【図１１】
2004218364.tif 000013
【図１２】
2004218364.tif 000014
【図１３】
2004218364.tif 000015
【図１４】
2004218364.tif 000016
【図１５】
2004218364.tif 000017
【図１６】
2004218364.tif 000018
【図１７】
2004218364.tif 000019
【図１８】
2004218364.tif 000020
【図１９】
2004218364.tif 000021
【図２０】
2004218364.tif 000022
【図２１】
2004218364.tif 000023